【手続補正書】
【提出日】平成20年6月23日(2008.6.23)
【手続補正１】
【補正対象書類名】明細書
【補正対象項目名】００２３
【補正方法】変更
【補正の内容】
【００２３】
（媒体発行装置）
図１は、本発明の情報書き込み装置が好ましく装着される媒体発行装置の実施の形態を示す透視側面図である。図１に示す媒体発行装置１は、カード状記録媒体（単に「媒体２」ということがある）を発行する装置であって、装置奥側に配置され、媒体２を積層して収納するカセット式媒体収納容器２５及び積層された媒体２のうち最低位の媒体２ａを１枚毎に繰り出し可能な媒体繰り出し部２１を有するホッパー２０と、媒体２の積層方向に対して鋭角をなす方向（図１では右斜め上）へ向けて、媒体繰り出し部２１から繰り出された媒体２を搬送する搬送路３０を有する情報書き込み装置７０と、搬送路３０の媒体繰り出し部２１とは反対側の一端である手前側に配置されて、媒体２を排出する媒体排出口１０と、を少なくとも備えている。
【手続補正２】
【補正対象書類名】明細書
【補正対象項目名】００２４
【補正方法】変更
【補正の内容】
【００２４】
図１に示す媒体発行装置１は、媒体排出口１０がホッパー２０の媒体繰り出し部２１よりも媒体積層方向の上側の対角位置に配置されている具体的な実施の形態を示したものであって、ホッパー２０が、カセット式媒体収納容器２５内に積層された媒体２のうち最低位の媒体２ａを１枚毎に繰り出し可能な媒体繰り出し部２１を有し、媒体排出口１０が、媒体繰り出し部２１よりも媒体積層方向の上側に対角配置されている。こうした対角配置により、ホッパー２０の高さ方向にスペースが与えられるので、媒体収納量の多いカセット式媒体収納容器２５を用いることができる。
【手続補正３】
【補正対象書類名】明細書
【補正対象項目名】００２７
【補正方法】変更
【補正の内容】
【００２７】
ホッパー２０は、カセット式媒体収納容器２５と媒体送り出し機構２２とより構成され、その媒体送り出し機構２２は媒体繰り出し部２１を有している。
【手続補正４】
【補正対象書類名】明細書
【補正対象項目名】００２８
【補正方法】変更
【補正の内容】
【００２８】
カセット式媒体収納容器２５は、媒体２を積層収納する容器で、アルミニウム合金製又はステンレス鋼製の枠体であり、媒体発行装置１の一部としてホッパー２０から着脱可能に設けられている。このカセット式媒体収納容器２５内には、接触式又は非接触式のＩＣカードや磁気カード等の媒体２が収納される。その媒体２は、例えば図１においては、後述する媒体排出口１０と略等しい高さの最上位部２７よりも下側に積層して収納されている。なお、そうした媒体２は、利用期限や貨幣価値等の各種情報が完全に記録されていない発行前ものである。また、エンボスの有無は問わない。
【手続補正５】
【補正対象書類名】明細書
【補正対象項目名】００２９
【補正方法】変更
【補正の内容】
【００２９】
カセット式媒体収納容器２５の下側には、ゲート部２３が設けられており、このゲート部２３から、媒体送り出し機構２２によって最低位の媒体２ａが一枚毎送り出される。このゲート部２３は、最低位の媒体２ａを一枚のみ送り出すことができる所定の隙間を設けるように、カセット式媒体収納容器２５の底板とカセット式媒体収納容器２５の側板をなす基準板との間に設けられている。
【手続補正６】
【補正対象書類名】明細書
【補正対象項目名】００３０
【補正方法】変更
【補正の内容】
【００３０】
また、カセット式媒体収納容器２５には、そのカセット式媒体収納容器２５をホッパー２０から脱着したときにゲート部２３を塞ぐためのシャッタ２４が設けられていている。また、カセット式媒体収納容器２５内に収容される媒体２を上方から押し下げるように作用するおもり２６が設けられていることが好ましい。シャッタ２４は、媒体２を入れたカセット式媒体収納容器２５を媒体発行装置１に装着するとき、又はホッパー２０から取り外して持ち運ぶときに、ゲート部２３から媒体２が落下等するのを防ぐように作用する。また、おもり２６は、スライド機構を備えたものでもよいし、チェーン等でカセット式媒体収納容器２５に取り付けられていてもよく、何れの場合もおもり２６の紛失防止に効果的である。
【手続補正７】
【補正対象書類名】明細書
【補正対象項目名】００３１
【補正方法】変更
【補正の内容】
【００３１】
媒体送り出し機構２２は、ホッパー２０の底部にカセット式媒体収納容器２５と対向して配置され、カセット式媒体収納容器２５内に収容される複数の媒体２のうち最低位に載置された媒体２ａをカセット式媒体収納容器２５（即ちホッパー２０）の外に送り出す装置である。この媒体送り出し機構２２は、カセット式媒体収納容器２５の最低位に載置されたカード状媒体２ａをゲート部２３を経由してカセット式媒体収納容器２５（即ちホッパー２０）の外に押し出す押出部材２２１を備えている。この押出部材２２１には、カード状媒体２ａの後端縁に係合してその媒体２ａを押し出す爪部が形成されていることが好ましい。
【手続補正８】
【補正対象書類名】明細書
【補正対象項目名】００３４
【補正方法】変更
【補正の内容】
【００３４】
媒体繰り出し部２１は、カセット式媒体収納容器２５内に収容される複数の媒体２のうち最低位に載置された媒体２ａがカセット式媒体収納容器２５（即ちホッパー２０）の外に繰り出される部分であり、カセット式媒体収納容器２５の下側に設けられたゲート部２３及びその周辺部により構成される。
【手続補正９】
【補正対象書類名】明細書
【補正対象項目名】００５１
【補正方法】変更
【補正の内容】
【００５１】
印字ヘッド７１は、図２、図５〜図９に示すように、ヘッドホルダ７１１（Ａヘッドホルダ７１１という）に保持され、そのＡヘッドホルダ７１１はＡヘッドレバー７４７に固定されている。Ａヘッドホルダ７１１は、印字ヘッド７１をジンバル構造で保持して、Ａヘッドレバー７４７に固定されている。このジンバル構造は、印字ヘッド７１を媒体２の幅方向Ｒにおいて揺動可能保持するので、媒体２の印字面に対して印字ヘッド７１を良好に追従させることができる。従って、変形した媒体に対しても良好な印字を実現できる。なお、図５に示す符号Ｓは、媒体２の搬送される方向を示している。
【手続補正１０】
【補正対象書類名】明細書
【補正対象項目名】００５２
【補正方法】変更
【補正の内容】
【００５２】
Ａヘッドレバー７４７は、印字ヘッド７１を保持する枠体であり、印字ヘッド７１を連結したＡヘッドホルダ７１１がＡヘッドレバー７４７の側板に調整可能に固定されている。Ａヘッドレバー７４７の搬送方向の一端は、図６及び図７に示すように、支点軸７４８に回動可能に取り付けられ、搬送方向の他端は、媒体２に対して印字ヘッド７１を押圧又は待避させる印字ヘッド駆動装置７４に取り付けられている。印字ヘッド駆動装置７４は、独立駆動する駆動モータ７４１を有し、その駆動モータ７４１から２つのギア７４２，７４３を介して偏心カム７４４に駆動力が伝達される。偏心カム７４４が動作すると、偏心カム７４４に連設された連結部材７４６が上下動し、その連結部材７４６に連設（ピボット接続）されたＡヘッドレバー７４７が上下動する。その結果、印字ヘッド７１は、媒体２に対して押圧又は待避することができる。なお、このときのＡヘッドレバー７４７は、支点軸７４８を支点として回動する。
【手続補正１１】
【補正対象書類名】明細書
【補正対象項目名】００５３
【補正方法】変更
【補正の内容】
【００５３】
消去ヘッド７２も印字ヘッド７１同様、図２、図５〜図９に示すように、ヘッドホルダ７２１（Ｂヘッドホルダ７２１という）に保持され、そのＢヘッドホルダ７２１はＢヘッドレバー７３７に固定されている。Ｂヘッドホルダ７２１は、消去ヘッド７２をジンバル構造で保持して、Ｂヘッドレバー７３７に固定されている。このジンバル構造は、印字ヘッド７２を媒体２の幅方向Ｒにおいて揺動可能に保持するので、媒体２の文字消去する面（印字面）に対して消去ヘッド７２を良好に追従させることができる。従って、変形した媒体に対しても良好な印字消去を実現できる。
【手続補正１２】
【補正対象書類名】明細書
【補正対象項目名】００５５
【補正方法】変更
【補正の内容】
【００５５】
前記の印字ヘッド７１、消去ヘッド７２は、ヘッドレバー７３７，７４７のａ、ｂ（図９参照）を支点として、±５゜程度調整可能とすればよい。なお、ヘッドレバー７３７，７４７及び支点軸７３８，７４８は、それぞれ情報書き込み装置７０の搬送路３０の搬送方向前後おける中心線に対して対称に配置している。
【手続補正１３】
【補正対象書類名】明細書
【補正対象項目名】００６０
【補正方法】変更
【補正の内容】
【００６０】
情報書き込み装置７０において、印字ヘッド駆動装置７４及び消去ヘッド駆動装置７３は、搬送路３０上に、媒体位置検出センサＳ３１，Ｓ３２，Ｓ３３を有していることが望ましい。この媒体位置検出センサＳ３１，Ｓ３２，Ｓ３３は、媒体２が印字ヘッド位置又は消去ヘッド位置に搬送されたときに印字ヘッド７１又は消去ヘッド７２が媒体２に押圧するように、印字ヘッド駆動装置７４及び／又は消去ヘッド駆動装置７３を動作させる信号を送るように設定されている。印字ヘッド駆動装置７４及び消去ヘッド駆動装置７３がこうしたセンサＳ３１，Ｓ３２，Ｓ３３を備えることにより、そのセンサ信号に基づいて各駆動装置７３，７４を単独で動作させることができる。その結果、搬送中の媒体に対する各ヘッド７１，７２の押圧のタイミングをとることが容易で、媒体全面への印字や消去を容易に行なうことができる。センサの具体例としては特に限定されないが、光学式センサであってもよいし近接式センサであってもよい。
【手続補正１４】
【補正対象書類名】明細書
【補正対象項目名】００７４
【補正方法】変更
【補正の内容】
【００７４】
回動軸６４は、ベルト６６を介して回動軸用モータ６５で回動させることができ、回動搬送路６１の方向を、情報書き込み装置７０内の搬送路３０と一致接続させるように回動させたり、媒体繰り出し部２１と同じ水平方向に回動させることができる。また、後述するように、クリーニング媒体保持部１１０がこの第２の媒体回動部６０の上側に設けられる場合には、そのクリーニング媒体保持部１１０の搬送路１１１と一致させるように回動させることができる。
【手続補正１５】
【補正対象書類名】明細書
【補正対象項目名】００７８
【補正方法】変更
【補正の内容】
【００７８】
廃棄媒体保管部５０は、上記のホッパー２０と同様、アルミニウム合金製又はステンレス鋼製の枠体であり、媒体発行装置１の一部をなすユニットとして着脱可能に設けられている。この廃棄媒体保管部５０内には、一定期間使用後の媒体で、設定された廃棄時期に至った媒体が投入され廃棄のために収容される。廃棄される媒体２は、図１に示すように、廃棄媒体搬送部９０から廃棄媒体保管部５０に対して斜めの状態で投入されるので、廃棄媒体保管部５０の底面５１もほぼ同じ角度の傾斜形状であることが好ましい。なお、廃棄媒体保管部５０内には、廃棄媒体が投入されたことを確認するセンサ５２が設けられていることが好ましい。センサ５２は、図１に示すような機械式のセンサであってもよいし、光学式のセンサであってもよい。
【手続補正１６】
【補正対象書類名】明細書
【補正対象項目名】００９２
【補正方法】変更
【補正の内容】
【００９２】
次に、プーリ１４１にかけられたベルト１４４により第１の媒体回動部８０の搬送駆動プーリ１４５に伝達されたＡ駆動モータ１４０の駆動力は、第１の媒体回動部８０における媒体２の搬送を行なう。即ち、搬送駆動プーリ１４５の回転は、ギア１４６を介して対向ローラ８２を回転させ、さらにその対向ローラ８２は、ベルトとプーリを介して他の対向ローラ８３を回転させる。このように第１の媒体回動部８０は、Ａ駆動モータ１４０の駆動力によって、第１の媒体回動部８０の対向ローラ８２，８３を駆動して、媒体２を第１の媒体回動部８０内に保持したり、情報書き込み装置７０、非接触通信部１００及び廃棄媒体保管部５０との間で媒体の搬送等を行なう。
【手続補正１７】
【補正対象書類名】明細書
【補正対象項目名】００９９
【補正方法】変更
【補正の内容】
【００９９】
（媒体発行方法）
次に、新規発行の動作について説明する。媒体２の新規発行は、ホッパー２０内に積層された媒体２のうち最低位の媒体２ａを押出部材２２１の爪部にて繰り出して、第２の媒体回動部６０内に搬送した後、第２の媒体回動部６０を搬送路３０と同じ角度に回動させて媒体の搬送方向を切替る。次に、第２の媒体回動部６０から搬送路３０上に配置された情報書き込み装置７０内に搬送し、情報書き込み装置７０が備える印字ヘッド７１により媒体表面に所定の情報が印字される。このときの印字ヘッド７１は、印字ヘッド駆動モータ７４により媒体表面に接触するまで下降し、媒体表面に接触した状態で印字する。印字が終了した後は、印字ヘッド駆動モータ７４により印字ヘッド７１を元の位置に上昇する。その後、媒体２は、搬送路３０と同じ角度に回動した状態で待機している第１の媒体回動部８０に搬送される。媒体２を受け取った第１の媒体回動部８０は、媒体２を非接触通信部１００に搬送するために水平方向になるまで回動し、その後、非接触通信部１００に搬送する。この非接触通信部１００においては、アンテナ部１０４と媒体２との間の非接触通信によって媒体２に内蔵されているＩＣに所定の情報が格納記憶され、最後に、媒体排出口１０に媒体２が送られて利用者の手に渡る。なお、必要により、非接触通信部１００による処理の前に、第１の媒体回動部８０から一旦分岐して、磁気媒体リーダライタ１２０による磁気データの記録処理が行なわれてもよい。
【手続補正１８】
【補正対象書類名】明細書
【補正対象項目名】０１０３
【補正方法】変更
【補正の内容】
【０１０３】
このとき、廃棄媒体搬送部９０に搬送された廃棄媒体は、そこで保持されずに廃棄媒体保管部５０に投入されてもよいが、好ましくは新規の媒体を発行するまで、すなわち新規媒体がホッパー２０から発行され、情報書き込み装置７０で印字され、非接触通信部１００で情報通信が完了したのを確認するまで保持されることが好ましい。そして、新規媒体への情報通信が完了したのを確認し、新規媒体２が発行されてから、廃棄媒体を、一時保留部としての廃棄媒体搬送部９０から廃棄媒体保管部５０に投入することが好ましい。こうした方式をとることにより、新規媒体２を更新発行する場合に、情報書き込み等を確実に行ったのを確認した後に今までの非接触ＩＣカードを廃棄することができ、その結果、非接触ＩＣカードの更新発行においても、迅速且つ確実な処理を行なうことができる。
【手続補正１９】
【補正対象書類名】明細書
【補正対象項目名】０１０６
【補正方法】変更
【補正の内容】
【０１０６】
１  媒体発行装置
２，２ａ  媒体
１０  媒体排出口
１１  シャッタ
１２  シャッタ用ソレノイド
１３  シャッタ機構
２０  ホッパー
２１  媒体繰り出し部
２２  媒体送り出し機構
２２１  押出部材
２２２  チェーン
２２３  スプロケット
２２４  駆動手段
２２５  伝動ベルト
２３  ゲート部
２４  シャッタ
２５  カセット式媒体収納容器
２６  おもり
２７  最上位部
３  搬送ユニット
３０  搬送路
３１，３２，３３  対向ローラ
３４  プラテンローラ
４  ヘッドユニット
５０  廃棄媒体保管部（リジェクトカセット）
５１  底面
５２  センサ
６０  第２の媒体回動部
６１  搬送路
６２，６３  対向ローラ
６４  回動軸
６５  回動軸用モータ
７０  情報書き込み装置
７１  印字ヘッド
７１１  Ａヘッドホルダ
７２  消去ヘッド
７２１  Ｂヘッドホルダ
７３  消去ヘッド駆動モータ
７３７  Ｂヘッドレバー
７４  印字ヘッド駆動モータ
７４７  Ａヘッドレバー
８０  第１の媒体回動部
８１  搬送路
８２，８３  対向ローラ
８４  回動軸
８５  回動軸用モータ
８６  ベルト
９０  廃棄媒体搬送部
９１  搬送路
９２  対向ローラ
９３  徐電ブラシ
９４  電磁クラッチ
９５  レバー部材（センサ）
９６  センサ
１００  非接触通信部
１０１  搬送路
１０２，１０３  対向ローラ
１０４  アンテナ部
１０５  センサ
１１０  クリーニング媒体保持部
１１１  搬送路
１１２  対向ローラ
１１３  電磁クラッチ
１１４  クリーニング媒体
１１５,１１６  センサ
１２０  磁気媒体リーダライタ
１２１  搬送路
１２２  磁気ヘッド
１２３  対向ローラ
１２４  電磁クラッチ
１３０  電源部
１４０  Ａ駆動モータ
１４１  プーリ
１４２  ギア
１４３，１４４  ベルト
１４５  搬送駆動プーリ
１４６  ギア
１５０  Ｂ駆動モータ
１５１，１５２，１５４  プーリ
１５３，１５６  ベルト
１５５  搬送駆動プーリ
１５７  ギア
【手続補正２０】
【補正対象書類名】図面
【補正対象項目名】図１
【補正方法】変更
【補正の内容】
【図１】
2007272630.tif 000001
【手続補正２１】
【補正対象書類名】図面
【補正対象項目名】図９
【補正方法】変更
【補正の内容】
【図９】
2007272630.tif 000002